(57)【特許請求の範囲】
【請求項１】
記録媒体に液滴を吐出する吐出手段により前記記録媒体上に吐出された液滴に対してレーザを照射して前記液滴を乾燥させる複数のレーザ光源が二次元状に配列されたレーザ光源群を含む乾燥手段と、
前記レーザ光源群を、前記記録媒体の搬送方向に沿って配列された複数の前記レーザ光源を制御単位とした制御単位レーザ光源群が前記搬送方向と交差する交差方向に沿って配列されるように分割し、該分割された前記制御単位レーザ光源群毎に設定された前記レーザの照射プロファイルを用いて前記乾燥手段を制御する制御手段と、
前記吐出手段により吐出された液滴により前記記録媒体に形成されたテスト画像に対し、前記制御単位レーザ光源群毎に異なる前記照射プロファイルを用いて前記乾燥手段により前記レーザを照射し、前記レーザが照射された前記テスト画像の評価が基準以上である前記照射プロファイルを前記レーザ光源群に含まれる前記複数のレーザ光源の各々に設定する設定手段と、
を備えた乾燥装置であって、
前記照射プロファイルは、前記レーザの照射強度を含み、
前記制御手段は、前記照射プロファイルに加えて前記照射強度の倍率を用いて前記乾燥手段を制御し、
前記設定手段は、前記テスト画像に対し、前記制御単位レーザ光源群毎に異なる組み合わせの前記照射プロファイル及び前記倍率を用いて前記乾燥手段により前記レーザを照射し、前記レーザが照射された前記テスト画像の評価が基準以上である前記照射プロファイル及び前記倍率を前記複数のレーザ光源に設定する
乾燥装置。
【請求項２】
前記照射プロファイルは、前記制御単位レーザ光源群を前記搬送方向に沿って分割した分割レーザ光源群毎に設定される前記レーザの照射強度を含み、
前記搬送方向の最も上流の前記分割レーザ光源群の前記照射強度は、他の前記分割レーザ光源群の前記照射強度以上である
請求項１記載の乾燥装置。
【請求項３】
前記レーザ光源は、垂直共振器型の面発光レーザ素子を含む
請求項１又は請求項２記載の乾燥装置。
【請求項４】
請求項１から請求項３の何れか１項記載の乾燥装置と、
前記吐出手段と、
前記記録媒体を搬送する搬送手段と、
を備えた画像形成装置。
【請求項５】
前記記録媒体の画像が形成される面の汚れを検出する検出手段をさらに備え、
前記テスト画像の評価が基準以上であるとは、前記検出手段により汚れが検出されないことである
請求項４記載の画像形成装置。
【請求項６】
前記検出手段は、前記レーザが照射された前記テスト画像に押し付けられる押付部材と、前記押付部材が押し付けられた後の前記テスト画像及び前記テスト画像の前記搬送方向の下流側の領域を読み取る読取手段とを備え、前記読取手段により読み取られた画像に基づいて前記汚れを検出する
請求項５記載の画像形成装置。
【請求項７】
前記テスト画像の評価が基準以上であるとは、さらに、前記読取手段により読み取られた前記テスト画像の光学濃度が予め定められた基準値以上であることである
請求項６記載の画像形成装置。
【請求項８】
前記液滴の種類が変更された場合、前記記録媒体の種類が変更された場合、定期的な保守作業が行われた場合、及び臨時的な保守作業が行われた場合の少なくとも１つの場合に、前記設定手段による設定を行う
請求項４から請求項７の何れか１項記載の画像形成装置。
【請求項９】
コンピュータを、請求項１から請求項３の何れか１項記載の乾燥装置の制御手段及び設定手段として機能させるための乾燥プログラム。
【発明の詳細な説明】
【技術分野】
【０００１】
本発明は、乾燥装置、画像形成装置、及び乾燥プログラムに関する。
【背景技術】
【０００２】
特許文献１には、パターン形成材料を含む液滴を基板に吐出する液滴吐出手段と、前記基板に着弾した液滴を乾燥することによって当該液滴の領域に前記パターン形成材料からなるパターンを形成する乾燥手段とを備えた液滴吐出装置が開示されている。この技術では、前記乾燥手段が、前記液滴内のパターン形成材料を同液滴内で流動させるエネルギーを出力するエネルギー出力手段と、前記液滴に与えるエネルギーのプロファイルを示すエネルギープロファイルが当該エネルギープロファイルによって流動したパターン形成材料からなるパターンの組成プロファイルに対応付けられたエネルギープロファイル情報に基づいて、目標となる組成プロファイルに対応するエネルギープロファイルを決定し、前記エネルギー出力手段が出力するエネルギーを当該決定したエネルギープロファイルで前記液滴に与えるエネルギープロファイル制御手段と、を備えている。
【０００３】
特許文献２には、対象物に液滴を吐出する、予め定められた方向に配設された複数のノズルを含む液滴吐出手段と、前記複数のノズルを、少なくとも１つのノズルが含まれるように複数のノズル群に分割した場合の各ノズル群に対応し、前記予め定められた方向とは交差する方向に配設され、前記交差する方向に搬送される前記対象物上において前記ノズル群の対向する位置を通り、前記交差する方向に延伸された直線上の異なる各位置において、当該各位置に到達した前記対象物上の前記液滴に対し順次光を照射する複数の光源を含む光源群が前記予め定められた方向に沿って複数設けられた光源手段と、前記液滴の吐出量を制御するとともに、吐出量が制御された前記ノズル群に対応する前記光源群を構成する各々の光源の照射エネルギーを吐出量に応じて制御する制御手段と、を備えた液滴乾燥装置が開示されている。
【先行技術文献】
【特許文献】
【０００４】
【特許文献１】特許第４４３２８１７号公報
【特許文献２】特開２０１４−０８３７６２号公報
【発明の概要】
【発明が解決しようとする課題】
【０００５】
本発明は、一律のレーザの照射プロファイルを用いてレーザを照射して該照射プロファイルを評価する場合に比較して、画質の劣化が抑制されるレーザの照射プロファイルを効率よく選定することができる乾燥装置、画像形成装置、及び乾燥プログラムを提供することを目的とする。
【課題を解決するための手段】
【０００６】
上記目的を達成するために、請求項１に記載の乾燥装置は、記録媒体に液滴を吐出する吐出手段により前記記録媒体上に吐出された液滴に対してレーザを照射して前記液滴を乾燥させる複数のレーザ光源が二次元状に配列されたレーザ光源群を含む乾燥手段と、前記レーザ光源群を、前記記録媒体の搬送方向に沿って配列された複数の前記レーザ光源を制御単位とした制御単位レーザ光源群が前記搬送方向と交差する交差方向に沿って配列されるように分割し、該分割された前記制御単位レーザ光源群毎に設定された前記レーザの照射プロファイルを用いて前記乾燥手段を制御する制御手段と、前記吐出手段により吐出された液滴により前記記録媒体に形成されたテスト画像に対し、前記制御単位レーザ光源群毎に異なる前記照射プロファイルを用いて前記乾燥手段により前記レーザを照射し、前記レーザが照射された前記テスト画像の評価が基準以上である前記照射プロファイルを前記レーザ光源群に含まれる前記複数のレーザ光源の各々に設定する設定手段と、を備えている。
【０００７】
また、請求項２に記載の発明は、請求項１に記載の発明において、前記照射プロファイルが、前記制御単位レーザ光源群を前記搬送方向に沿って分割した分割レーザ光源群毎に設定される前記レーザの照射強度を含み、前記搬送方向の最も上流の前記分割レーザ光源群の前記照射強度が、他の前記分割レーザ光源群の前記照射強度以上であるものである。
【０００８】
また、請求項３に記載の発明は、請求項１又は請求項２に記載の発明において、前記照射プロファイルが、前記レーザの照射強度を含み、前記制御手段が、前記照射プロファイルに加えて前記照射強度の倍率を用いて前記乾燥手段を制御し、前記設定手段が、前記テスト画像に対し、前記制御単位レーザ光源群毎に異なる組み合わせの前記照射プロファイル及び前記倍率を用いて前記乾燥手段により前記レーザを照射し、前記レーザが照射された前記テスト画像の評価が基準以上である前記照射プロファイル及び前記倍率を前記複数のレーザ光源に設定するものである。
【０００９】
また、請求項４に記載の発明は、請求項１から請求項３の何れか１項に記載の発明において、前記レーザ光源が、垂直共振器型の面発光レーザ素子を含むものである。
【００１０】
一方、上記目的を達成するために、請求項５に記載の画像形成装置は、請求項１から請求項４の何れか１項記載の乾燥装置と、前記吐出手段と、前記記録媒体を搬送する搬送手段と、を備えている。
【００１１】
また、請求項６に記載の発明は、請求項５に記載の発明において、前記記録媒体の画像が形成される面の汚れを検出する検出手段をさらに備え、前記テスト画像の評価が基準以上であるとは、前記検出手段により汚れが検出されないことであるものである。
【００１２】
また、請求項７に記載の発明は、請求項６に記載の発明において、前記検出手段が、前記レーザが照射された前記テスト画像に押し付けられる押付部材と、前記押付部材が押し付けられた後の前記テスト画像及び前記テスト画像の前記搬送方向の下流側の領域を読み取る読取手段とを備え、前記読取手段により読み取られた画像に基づいて前記汚れを検出するものである。
【００１３】
また、請求項８に記載の発明は、請求項７に記載の発明において、前記テスト画像の評価が基準以上であるとは、さらに、前記読取手段により読み取られた前記テスト画像の光学濃度が予め定められた基準値以上であることであるものである。
【００１４】
また、請求項９に記載の発明は、請求項５から請求項８の何れか１項に記載の発明において、前記液滴の種類が変更された場合、前記記録媒体の種類が変更された場合、定期的な保守作業が行われた場合、及び臨時的な保守作業が行われた場合の少なくとも１つの場合に、前記設定手段による設定を行うものである。
【００１５】
一方、上記目的を達成するために、請求項１０に記載の乾燥プログラムは、コンピュータを、請求項１から請求項４の何れか１項記載の乾燥装置の制御手段及び設定手段として機能させるためのものである。
【発明の効果】
【００１６】
請求項１、請求項５、及び請求項１０に記載の発明によれば、一律のレーザの照射プロファイルを用いてレーザを照射して該照射プロファイルを評価する場合に比較して、画質の劣化が抑制されるレーザの照射プロファイルを効率よく選定することができる。
【００１７】
請求項２に記載の発明によれば、上記搬送方向の最も上流の上記分割レーザ光源群の照射強度が、他の上記分割レーザ光源群の照射強度未満である場合に比較して、より画質の劣化が抑制されるレーザの照射プロファイルを効率よく選定することができる。
【００１８】
請求項３に記載の発明によれば、照射プロファイルのみを用いる場合に比較して、より簡易に多くのレーザの照射パターンを評価することができる。
【００１９】
請求項４に記載の発明によれば、レーザ光源が水平共振器型の面発光レーザ素子である場合に比較して、より低コストで画質の劣化が抑制されるレーザの照射プロファイルを効率よく選定することができる。
【００２０】
請求項６及び請求項７に記載の発明によれば、上記汚れをユーザが目視で評価する場合に比較して、画質の劣化が抑制されるレーザの照射プロファイルをより効率よく選定することができる。
【００２１】
請求項８に記載の発明によれば、上記光学濃度をユーザが目視で評価する場合に比較して、画質の劣化が抑制されるレーザの照射プロファイルをより効率よく選定することができる。
【００２２】
請求項９に記載の発明によれば、適切なタイミングで画質の劣化が抑制されるレーザの照射プロファイルを効率よく選定することができる。
【図面の簡単な説明】
【００２３】
【図１】実施の形態に係るインクジェット記録装置の主要構成部を示す概略構成図である。
【図２】実施の形態に係るレーザ乾燥装置の説明に供する平面図である。
【図３】実施の形態に係るインクジェット記録装置の電気系の要部構成を示すブロック図である。
【図４Ａ】レーザの照射強度と画像の光学濃度との関係を示すグラフである。
【図４Ｂ】レーザの照射強度とインク滴の定着度との関係を示すグラフである。
【図５】実施の形態に係るプロファイル選定処理プログラムの処理の流れを示すフローチャートである。
【図６Ａ】（１）は実施の形態に係る第１照射プロファイルにおけるＶＣＳＥＬアレイの用紙の搬送方向の位置とレーザの照射強度との関係を示すグラフであり、（２）は、第１照射プロファイルを用いてレーザを照射した場合のレーザの照射時間とインク滴の温度との関係を示すグラフである。
【図６Ｂ】（１）は実施の形態に係る第２照射プロファイルにおけるＶＣＳＥＬアレイの用紙の搬送方向の位置とレーザの照射強度との関係を示すグラフであり、（２）は、第２照射プロファイルを用いてレーザを照射した場合のレーザの照射時間とインク滴の温度との関係を示すグラフである。
【図６Ｃ】（１）は実施の形態に係る第３照射プロファイルにおけるＶＣＳＥＬアレイの用紙の搬送方向の位置とレーザの照射強度との関係を示すグラフであり、（２）は、第３照射プロファイルを用いてレーザを照射した場合のレーザの照射時間とインク滴の温度との関係を示すグラフである。
【図６Ｄ】（１）は実施の形態に係る第４照射プロファイルにおけるＶＣＳＥＬアレイの用紙の搬送方向の位置とレーザの照射強度との関係を示すグラフであり、（２）は、第４照射プロファイルを用いてレーザを照射した場合のレーザの照射時間とインク滴の温度との関係を示すグラフである。
【図６Ｅ】（１）は実施の形態に係る第５照射プロファイルにおけるＶＣＳＥＬアレイの用紙の搬送方向の位置とレーザの照射強度との関係を示すグラフであり、（２）は、第５照射プロファイルを用いてレーザを照射した場合のレーザの照射時間とインク滴の温度との関係を示すグラフである。
【図７Ａ】実施の形態に係る第１照射プロファイルにおけるレーザの照射強度のテーブルの一例を示す模式図である。
【図７Ｂ】実施の形態に係る第２照射プロファイルにおけるレーザの照射強度のテーブルの一例を示す模式図である。
【図８】実施の形態に係る照射プロファイル及び照射強度の倍率の選定の説明に供する模式図である。
【発明を実施するための形態】
【００２４】
以下、図面を参照して、本発明を実施するための形態を詳細に説明する。なお、ここでは、本発明を、記録媒体上にインク滴を吐出して画像を記録するインクジェット記録装置に適用した場合について説明する。
【００２５】
まず、図１を参照して、本実施の形態に係るインクジェット記録装置１０の構成を説明する。
【００２６】
図１に示すように、本実施の形態に係るインクジェット記録装置１０は、制御部２０、記憶部３０、ヘッド駆動部４０、印字ヘッド５０、レーザ駆動部６０、レーザ乾燥装置７０、給紙ロール８０、排出ロール９０、搬送ローラ１００、押付ローラ１１０、及び画像読取部１２０を備えている。
【００２７】
制御部２０は、搬送モータ１５０（図３も参照。）を駆動することで、搬送モータ１５０と例えばギヤ等の機構を介して接続された搬送ローラ１００の回転を制御する。給紙ロール８０には、記録媒体として長尺状の連続紙Ｐが巻きつけられており、搬送ローラ１００の回転に伴って連続紙Ｐが図１の矢印Ａ方向に搬送される。なお、以下では、連続紙Ｐが搬送される方向（図１の矢印Ａ方向）を単に「搬送方向」という。
【００２８】
また、記憶部３０は、例えばＨＤＤ（Hard Disk Drive）等の不揮発性の記憶部である。そして、制御部２０は、例えば記憶部３０に記憶される、ユーザが連続紙Ｐに描画させたい画像の情報、すなわちユーザ画像情報を取得し、ユーザ画像情報に含まれる画像の画素毎の色情報に基づいてヘッド駆動部４０を制御する。さらに、ヘッド駆動部４０は、制御部２０から指示されたインク滴の吐出タイミングに従って、ヘッド駆動部４０に接続された印字ヘッド５０を駆動して、印字ヘッド５０からインク滴を吐出させ、搬送される連続紙Ｐ上にユーザ画像情報に対応した画像を形成する。以下、ユーザ画像情報に従って連続紙Ｐに形成される画像をユーザ画像という。
【００２９】
なお、ユーザ画像の画素毎の色情報には、画素毎の色を一意に示す情報が含まれる。本実施の形態では、例えば、ユーザ画像の画素毎の色情報がシアン（Ｃ）、マゼンタ（Ｍ）、イエロー（Ｙ）、黒（Ｋ）の各々の濃度によって表されているものとするが、ユーザ画像の画素毎の色を一意に示す他の表現方法を用いてもよい。
【００３０】
印字ヘッド５０は、Ｃ色、Ｍ色、Ｙ色、及びＫ色の４色それぞれに対応した４つの印字ヘッド５０Ｃ、５０Ｍ、５０Ｙ、及び５０Ｋを含み、各色の印字ヘッド５０に設けられたインク吐出口から対応する色のインク滴を吐出する。なお、印字ヘッド５０においてインク滴を吐出するための駆動方法は特に限定されず、いわゆるサーマル方式や圧電方式等、公知のものが適用される。
【００３１】
また、インクとしては水性インク、溶媒が蒸発するインクである油性インク、紫外線硬化型インク等が存在するが、本実施の形態では一例として水性インクを使用する。以下、単に「インク」又は「インク滴」とある場合は、「水性インク」又は「水性インク滴」を意味しているものとする。また、本実施の形態に係るＹＭＣＫ各色のインクには、ＩＲ（Infrared）吸収剤が添加され、インクがレーザを吸収する度合いが調整されるが、これに限らない。例えば、Ｋ色のインク等、レーザを吸収するインクには、必ずしもＩＲ吸収剤を添加しなくてもよい。
【００３２】
レーザ駆動部６０にはレーザ乾燥装置７０に含まれるレーザ素子のオンオフを制御するＦＥＴ（Field Effect Transistor）等のスイッチング素子が含まれる。レーザ駆動部６０は、制御部２０からの指示に基づいてスイッチング素子を駆動し、パルスのデューティー比を制御することでレーザ素子から照射されるレーザの照射強度（照射エネルギー）を調整する。
【００３３】
そして、制御部２０はレーザ駆動部６０を制御することで、レーザ乾燥装置７０から連続紙Ｐの画像が形成される面に向けてレーザを照射させ、連続紙Ｐに形成されたユーザ画像のインク滴を乾燥させて、連続紙Ｐへのユーザ画像の定着を図る。なお、以下では、連続紙Ｐの画像が形成される面を「画像形成面」という。
【００３４】
その後、連続紙Ｐは搬送ローラ１００の回転に伴って排出ロール９０まで搬送され、排出ロール９０に巻き取られる。
【００３５】
押付ローラ１１０は、レーザ乾燥装置７０より搬送方向の下流の位置に設けられている。そして、押付ローラ１１０は、制御部２０からの指示に従って回転することにより連続紙Ｐを搬送方向に搬送すると共に、連続紙Ｐの画像形成面に押し付けられる。これにより、押付ローラ１１０は、連続紙Ｐに形成された画像に含まれるインク滴の定着が不完全である場合、連続紙Ｐの該画像の搬送方向の下流の領域にインク汚れを付着させる。なお、図１に示すように、本実施の形態に係る押付ローラ１１０は、後述するプロファイル選定処理を行う場合に、制御部２０からの指示により連続紙Ｐに押し付けられる位置（以下、「押付位置」という。）に移動する構成とされているが、これに限らない。押付ローラ１１０は、常に押付位置に設けられている形態としてもよい。
【００３６】
画像読取部１２０は、連続紙Ｐの画像形成面と対向する位置で、かつ押付ローラ１１０より搬送方向の下流の位置に設けられている。そして、画像読取部１２０は、連続紙Ｐの画像形成面の画像を読み取り、読み取った画像を示す画像情報を制御部２０に出力する。なお、画像読取部１２０の例としては、スキャナやカメラ等が挙げられる。
【００３７】
次に、図１及び図２を参照して、本実施の形態に係るレーザ乾燥装置７０の構成を詳細に説明する。
【００３８】
図１及び図２に示すように、本実施の形態に係るレーザ乾燥装置７０は、搬送方向に沿って、搬送方向の上流から順に予め定められた間隔を空けて６個のレーザ乾燥部７２Ａ〜７２Ｆが設けられている。以下、レーザ乾燥部７２Ａ〜７２Ｆを区別する必要がない場合は、符号末尾のアルファベットを省略する。
【００３９】
また、図２に示すように、各レーザ乾燥部７２は、搬送方向に交差する方向（以下、「交差方向」という。）に沿って配列された、複数のＶＣＳＥＬ（Vertical Cavity Surface Emitting Laser：垂直共振器型の面発光レーザ素子）アレイ群７４を備えている。また、ＶＣＳＥＬアレイ群７４は、二次元状に、具体的には搬送方向及び交差方向に沿って格子状に配列された複数のＶＣＳＥＬアレイ７６を備えている。さらに、ＶＣＳＥＬアレイ７６は、不図示の複数のＶＣＳＥＬを備えている。なお、ＶＣＳＥＬアレイ７６が、本発明のレーザ光源の一例である。
【００４０】
本実施の形態に係るレーザ乾燥装置７０では、二次元状に配列された複数のＶＣＳＥＬアレイ７６のうち、搬送方向に沿って配列された一列のＶＣＳＥＬアレイ７６群を制御単位としてレーザの照射プロファイル（詳細は後述）が設定される。そして、制御部２０による指示により、設定された照射プロファイルに従って各ＶＣＳＥＬアレイ７６からレーザが連続紙Ｐの画像形成面に照射される。なお、図２では、上記制御単位であるＶＣＳＥＬアレイ７６群が、破線の矩形で示されている。また、図２に示すように、本実施の形態に係るレーザ乾燥装置７０では、一例として、上記制御単位が１−１列から１１−３列までに分けられている。また、図２では、上記制御単位のＶＣＳＥＬアレイ７６群のうち、各レーザ乾燥部７２に含まれる単位のＶＣＳＥＬアレイ７６群が一点鎖線の矩形（一例として図２に示すＡ１−１、Ｂ１−１等）で示されている。なお、上記制御単位である一列のＶＣＳＥＬアレイ７６群が、本発明の制御単位レーザ光源群の一例であり、図２に示すＡ１−１、Ｂ１−１等のレーザ乾燥部７２毎のＶＣＳＥＬアレイ７６群が、本発明の分割レーザ光源群の一例である。
【００４１】
次に、図３を参照して、本実施の形態に係るインクジェット記録装置１０の電気系の要部構成について説明する。
【００４２】
図３に示すように、本実施の形態に係る制御部２０は、インクジェット記録装置１０の全体的な動作を司るＣＰＵ（Central Processing Unit）２０Ａ、及び各種プログラムや各種パラメータ等が予め記憶されたＲＯＭ（Read Only Memory）２０Ｂを備えている。また、制御部２０は、ＣＰＵ２０Ａよる各種プログラムの実行時のワークエリア等として用いられるＲＡＭ（Random Access Memory）２０Ｃも備えている。
【００４３】
また、インクジェット記録装置１０は、外部装置と通信データの送受信を行う通信回線Ｉ／Ｆ（Interface）部１３０を備えている。また、インクジェット記録装置１０は、インクジェット記録装置１０に対するユーザからの指示を受け付けると共に、ユーザに対してインクジェット記録装置１０の動作状況等に関する各種情報を通知する操作表示部１４０を備えている。なお、操作表示部１４０は、例えば、プログラムの実行によって操作指示の受け付けを実現する表示ボタンや各種情報が表示されるタッチパネル式のディスプレイ、及び、テンキーやスタートボタンなどのハードウェアキー等を含む。
【００４４】
そして、ＣＰＵ２０Ａ、ＲＯＭ２０Ｂ、ＲＡＭ２０Ｃ、記憶部３０、ヘッド駆動部４０、レーザ駆動部６０、押付ローラ１１０、画像読取部１２０、通信回線Ｉ／Ｆ部１３０、操作表示部１４０、及び搬送モータ１５０の各部がアドレスバス、データバス、および制御バス等のバス１６０を介して互いに接続されている。また、ヘッド駆動部４０には印字ヘッド５０が接続され、レーザ駆動部６０にはレーザ乾燥装置７０が接続され、搬送モータ１５０には搬送ローラ１００が接続されている。
【００４５】
従って、ＣＰＵ２０Ａは、バス１６０を介してヘッド駆動部４０を制御することで、前述したように印字ヘッド５０を駆動させる。また、ＣＰＵ２０Ａは、バス１６０を介してレーザ駆動部６０を制御することで、前述したようにレーザ乾燥装置７０によるレーザの照射を制御する。また、ＣＰＵ２０Ａは、バス１６０を介して搬送モータ１５０を制御することで、前述したように搬送ローラ１００の回転を制御する。
【００４６】
また、ＣＰＵ２０Ａは、バス１６０を介して押付ローラ１１０の回転を制御すると共に、押付ローラ１１０の押付位置への移動を制御する。また、ＣＰＵ２０Ａは、バス１６０を介して画像読取部１２０により読み取られた画像情報を取得する。さらに、ＣＰＵ２０Ａは、該画像情報からインク汚れの有無及び光学濃度を検出する。なお、本実施の形態では、光学濃度とは、吸光度を示すもので、値が大きくなるほど画像の画質が良いものとされている。
【００４７】
ところで、本実施の形態に係るインクジェット記録装置１０では、印字ヘッド５０から連続紙Ｐに向けて吐出されたインク滴は、速やかに乾燥させることが求められる。そこで、例えば、レーザ乾燥装置７０から上限の照射強度でレーザを照射することが考えられる。しかしながら、一例として図４Ａに示すように、レーザの照射強度が高すぎると画像の光学濃度は低下する。これは、インク滴の温度が、例えばインク滴が沸騰する沸騰温度を超えることにより、連続紙Ｐ上のインク滴中に気泡が発生しインク滴が飛散することが一因である。なお、本実施の形態のように水性インクを用いた場合のインク滴の沸騰温度は、インクジェット記録装置１０の設置場所の気圧等により誤差はあるが、約１００℃である。以下、単に「沸騰温度」とある場合は、「インク滴の沸騰温度」を意味しているものとする。また、以下、単に「照射強度」とある場合は、「レーザの照射強度」を意味しているものとする。
【００４８】
また、一例として図４Ｂに示すように、照射強度が低すぎるとインク滴の水分が蒸発しきらずに残存し、インク滴の連続紙Ｐへの定着度が低下する。また、照射強度が高すぎると、インク滴の温度が沸騰温度を超えて沸騰することによりインク滴が飛散し表面に凹凸が生じるため、インク滴の連続紙Ｐへの定着度が低下する。
【００４９】
さらに、レーザが照射された場合のインク滴の温度の上昇速度やインク滴の連続紙Ｐへの定着度は、インク滴における水分の含有率及びＩＲ吸収剤の含有率、連続紙Ｐの紙質等によっても異なる。
【００５０】
従って、インク滴の種類や連続紙Ｐの種類等に応じて、レーザ乾燥装置７０から適切な照射強度でレーザをインク滴に照射して乾燥させることは、画質の劣化を抑制するために重要である。そこで、本実施の形態に係るインクジェット記録装置１０は、適切な照射強度でレーザを照射させるための照射プロファイルを選定するプロファイル選定処理を行う。
【００５１】
次に、図５を参照して、本実施の形態に係るインクジェット記録装置１０の作用を説明する。なお、図５は、インク滴の種類が変更された際にＣＰＵ２０Ａによって実行されるプロファイル選定処理プログラムの処理の流れを示すフローチャートであり、該プログラムはＲＯＭ２０Ｂに予めインストールされている。このように、本実施の形態では、プロファイル選定処理プログラムを実行するタイミングとして、インク滴の種類が変更されたタイミングを適用するが、これに限定されるものではない。例えば、プロファイル選定処理プログラムを実行するタイミングとして、連続紙Ｐの種類が変更されたタイミングや定期的な保守作業が行われたタイミング等を適用してもよい。また、例えば、プロファイル選定処理プログラムを実行するタイミングとして、臨時的な保守作業が行われたタイミングやユーザにより操作表示部１４０を介してプロファイル選定処理プログラムの開始を指示する指示入力が行われたタイミング等を適用してもよい。
【００５２】
図５のステップＳ１００では、ＣＰＵ２０Ａは、連続紙Ｐにおけるレーザ乾燥装置７０によりレーザが照射される領域に予め定められたサイズで、かつ一律の濃度のテスト画像を形成する。具体的には、本実施の形態では、ＣＰＵ２０Ａは、一例として、交差方向の長さが、レーザが照射される領域の交差方向の長さと同じで、搬送方向の長さが１．５インチで、かつＫ色の濃度が１００％の矩形状のテスト画像を形成する。
【００５３】
次のステップＳ１０２では、ＣＰＵ２０Ａは、上記制御単位のＶＣＳＥＬアレイ７６群毎に照射プロファイル及び照射強度の倍率の組み合わせを異ならせて設定し、テスト画像に対してレーザを照射する。
【００５４】
ここで、図６Ａ〜Ｅを参照して、本実施の形態に係る照射プロファイルについて説明する。本実施の形態では、一例として図６Ａ〜Ｅに示すように、５個の照射プロファイルが用意されている。図６Ａ〜Ｅの（１）は、縦軸がレーザの照射強度を示し、横軸がＶＣＳＥＬアレイ７６の搬送方向の位置を示し、横軸のＡ列〜Ｆ列は図２におけるＡ列〜Ｆ列と対応している。また、図６Ａ〜Ｅの（２）は、（１）に示す照射プロファイルでレーザが照射された場合のインク滴の温度の時系列の推移を示し、縦軸がインク滴の温度を示し、横軸がレーザの照射が開始されてからの経過時間を示し、破線が沸騰温度を示している。
【００５５】
図６Ａ（１）に示すように、本実施の形態に係る１つ目の照射プロファイル（以下、「第１照射プロファイル」という。）は、上記制御単位の各ＶＣＳＥＬアレイ７６から一律の照射強度でレーザが照射されるプロファイルである。第１照射プロファイルを用いてレーザが照射された場合、図６Ａ（２）に示すように、インク滴の温度は、レーザの照射開始後、沸騰温度近傍に達するまで上昇する。その後、インク滴の温度は緩やかに上昇し、インク滴の温度が沸騰温度を超えた後は、急上昇する。この第１照射プロファイルは、連続紙Ｐ及びインクの種類の組み合わせが、インク滴が連続紙Ｐへ急速に浸透し、インク滴の沸騰による問題が生じ難い場合や、連続紙Ｐの搬送速度が速く、単位時間当たりの照射強度が低い場合等に適している。また、第１照射プロファイルを用いた場合、ＶＣＳＥＬアレイ７６毎のレーザの照射のための負荷が同等であり、各ＶＣＳＥＬアレイ７６の劣化に差が生じ難い。
【００５６】
図６Ｂ（１）に示すように、本実施の形態に係る２つ目の照射プロファイル（以下、「第２照射プロファイル」という。）は、Ａ列のＶＣＳＥＬアレイ７６からは第１照射プロファイルと同じ照射強度でレーザが照射されるプロファイルである。また、第２照射プロファイルは、Ｂ列〜Ｆ列のＶＣＳＥＬアレイ７６からはＡ列のＶＣＳＥＬアレイ７６より低い（図６Ｂ（１）に示す例では約１／２）照射強度でレーザが照射されるプロファイルである。第２照射プロファイルを用いてレーザが照射された場合、図６Ｂ（２）に示すように、インク滴の温度は、レーザの照射開始後、沸騰温度近傍に達するまで上昇する。その後、インク滴の温度は沸騰温度近傍を維持してから緩やかに上昇し、インク滴の温度が沸騰温度を超えた後は、急上昇する。この第２照射プロファイルは、水分の割合が多いインクの場合や、インク滴に含まれる水分のみを蒸発させれば連続紙Ｐへの定着性が得られるインクの場合等に適している。
【００５７】
図６Ｃ（１）に示すように、本実施の形態に係る３つ目の照射プロファイル（以下、「第３照射プロファイル」という。）は、Ａ列及びＢ列のＶＣＳＥＬアレイ７６からは第２照射プロファイルと同じ照射強度でレーザが照射されるプロファイルである。また、第３照射プロファイルは、Ｃ列のＶＣＳＥＬアレイ７６からはＢ列のＶＣＳＥＬアレイ７６と同じ照射強度でレーザが照射されるプロファイルである。さらに、Ｄ列のＶＣＳＥＬアレイ７６からＦ列のＶＣＳＥＬアレイ７６にかけては、Ｂ列及びＣ列のＶＣＳＥＬアレイ７６より徐々に高くなる照射強度でレーザが照射されるプロファイルである。第３照射プロファイルを用いてレーザが照射された場合、図６Ｃ（２）に示すように、インク滴の温度は、第２照射プロファイルの場合に比較して早く沸騰温度を超え、沸騰温度を超えた後の温度の上昇速度が速くなる。この第３照射プロファイルは、高沸点の溶媒を蒸発させることにより連続紙Ｐへの定着性が得られるインクの場合等に適している。
【００５８】
図６Ｄ（１）に示すように、本実施の形態に係る４つ目の照射プロファイル（以下、「第４照射プロファイル」という。）は、Ａ列及びＢ列のＶＣＳＥＬアレイ７６からは第２照射プロファイルと同じ照射強度でレーザが照射されるプロファイルである。また、第４照射プロファイルは、Ｃ列〜Ｅ列のＶＣＳＥＬアレイ７６からは第３照射プロファイルのＤ列〜Ｆ列のＶＣＳＥＬアレイ７６と同じ照射強度でレーザが照射されるプロファイルである。さらに、第４照射プロファイルは、Ｆ列のＶＣＳＥＬアレイ７６からはレーザが照射されないプロファイルである。第４照射プロファイルを用いてレーザが照射された場合、図６Ｄ（２）に示すように、インク滴の温度は沸騰温度を超えて上昇した後に低下する。この第４照射プロファイルは、乾燥性の高いインクや、連続紙Ｐへのインク滴の浸透性が高いインク及び連続紙Ｐの組み合わせの場合等に適している。
【００５９】
図６Ｅ（１）に示すように、本実施の形態に係る５つ目の照射プロファイル（以下、「第５照射プロファイル」という。）は、Ａ列及びＢ列のＶＣＳＥＬアレイ７６からは第１照射プロファイルと同じ照射強度でレーザが照射されるプロファイルである。また、第５照射プロファイルは、Ｃ列〜Ｆ列のＶＣＳＥＬアレイ７６からは第２照射プロファイルのＣ列〜Ｆ列のＶＣＳＥＬアレイ７６と同じ照射強度でレーザが照射されるプロファイルである。第５照射プロファイルを用いてレーザが照射された場合、図６Ｅ（２）に示すように、インク滴の温度は、レーザの照射開始後、沸騰温度近傍に達するまで上昇する。その後、インク滴の温度は沸騰温度近傍を維持してから緩やかに上昇し、インク滴の温度が沸騰温度を超えた後は、急上昇する。この第５照射プロファイルは、水分の割合が高いインクの場合等に適している。
【００６０】
以上説明したように本実施の形態に係る照射プロファイルでは、何れの照射プロファイルでも、Ａ列のＶＣＳＥＬアレイ７６の照射強度がＢ列〜Ｆ列のＶＣＳＥＬアレイ７６の照射強度以上とされている。これにより、インク滴の温度が速やかに沸騰温度近傍まで上昇するため、効率よくインク滴が乾燥される。
【００６１】
本実施の形態に係るインクジェット記録装置１０は、以上説明した第１〜第５照射プロファイルが、ＶＣＳＥＬアレイ７６毎の照射強度が格納されたテーブル（以下、「照射強度テーブル」という。）として記憶部３０に予め記憶されている。図７Ａ及び図７Ｂに照射強度テーブルの一例を示す。なお、図７Ａは、第１照射プロファイルに対応する照射強度テーブルを模式的に示し、図７Ｂは第２照射プロファイルに対応する照射強度テーブルを模式的に示している。また、図７Ａ及び図７ＢにおけるＡ列〜Ｃ列は図２におけるＡ列〜Ｃ列に対応し、「１．５」等の数字は、ＶＣＳＥＬアレイ７６から照射されるレーザの照射強度［Ｊ／ｃｍ２］を示している。また、錯綜を回避するために、図７Ａ及び図７Ｂでは、Ｄ列〜Ｆ列の記載を省略している。
【００６２】
図７Ａに示すように、第１照射プロファイルを用いた場合、上記制御単位の各ＶＣＳＥＬアレイ７６から１．５［Ｊ／ｃｍ２］の照射強度でレーザが照射される。一方、図７Ｂに示すように、第２照射プロファイルを用いた場合、Ａ列のＶＣＳＥＬアレイ７６からは１．５［Ｊ／ｃｍ２］の照射強度でレーザが照射され、Ｂ列〜Ｆ列のＶＣＳＥＬアレイ７６からは０．７５［Ｊ／ｃｍ２］の照射強度でレーザが照射される。なお、錯綜を回避するために図示は省略するが、第３〜第５照射プロファイルについても対応する照射強度テーブルが記憶部３０に予め記憶されている。
【００６３】
また、本実施の形態では、ＣＰＵ２０Ａは、照射プロファイルに加え、照射プロファイルの照射強度を変更させる倍率を０．８倍、０．９倍、１．０倍、１．１倍と設定してＶＣＳＥＬアレイ７６からレーザを照射させる。すなわち、例えば、１−１列のＶＣＳＥＬアレイ７６に対して、照射プロファイルとして第２照射プロファイルを設定し、倍率として０．８倍を設定した場合、Ａ１−１のＶＣＳＥＬアレイ７６からは１．２［Ｊ／ｃｍ２］の照射強度でレーザが照射される。そして、この場合、Ｂ１−１〜Ｆ１−１のＶＣＳＥＬアレイ７６からは０．６［Ｊ／ｃｍ２］の照射強度でレーザが照射される。
【００６４】
次のステップＳ１０４では、ＣＰＵ２０Ａは、押付ローラ１１０を押付位置に移動させて、上記ステップＳ１０２の処理によりレーザが照射された連続紙Ｐに対して押付ローラ１１０を押し付けると共に回転させる。
【００６５】
次のステップＳ１０６では、ＣＰＵ２０Ａは、上記ステップＳ１０４の処理により押付ローラ１１０が押し付けられた後の連続紙Ｐに対して、画像読取部１２０によりテスト画像及びテスト画像の搬送方向の下流側の領域（以下、「汚れ評価領域」という。）を読み取らせて、読み取らせた画像の画像情報を取得する。
【００６６】
次のステップＳ１０８では、ＣＰＵ２０Ａは、上記ステップＳ１０６の処理により取得した画像情報に対して画像処理を行い、汚れ評価領域におけるインク汚れの有無及びテスト画像の上記制御単位に対応する領域毎の光学濃度を検出する。
【００６７】
次のステップＳ１１０では、ＣＰＵ２０Ａは、上記ステップＳ１０８の処理により検出したインク汚れの有無及び光学濃度に基づき、インク汚れがなく、光学濃度が最大である照射プロファイルを選定する。図８に照射プロファイルの選定の説明に供する模式図を示す。なお、本実施の形態では、光学濃度が最大である照射プロファイルを選定しているがこれに限らない。例えば、光学濃度が予め定められた基準値（例えば、１．１５）以上であるもののうち何れかの照射プロファイルを選定してもよい。さらに、例えば、光学濃度を用いずに、インク汚れがない照射プロファイルのうち、何れかの照射プロファイルを選定してもよい。
【００６８】
図８の連続紙Ｐは、上記ステップＳ１０２の処理によりレーザが照射され、上記ステップＳ１０４の処理により押付ローラ１１０が連続紙Ｐに押し付けられた後の状態を上方から見た場合を示している。前述したように、レーザの照射強度の違いによりテスト画像の光学濃度に差が出たり、インク滴の連続紙Ｐへの定着度の低下により連続紙Ｐの汚れ評価領域にインク汚れが付着したりする。図８の右側の表は、図２に示した制御単位の列の番号、制御単位毎に設定した照射プロファイルの番号及び照射強度の倍率と、対応するインク汚れの有無及びテスト画像の光学濃度を示している。例えば、図８に示す例では、上記ステップＳ１１０において、ＣＰＵ２０Ａは、インク汚れが無く、かつ光学濃度が最大である照射プロファイル及び照射強度の倍率の組み合わせとして、第３照射プロファイル及び１．０倍を選定する。
【００６９】
次のステップＳ１１２では、ＣＰＵ２０Ａは、上記ステップＳ１１０の処理により選定した照射プロファイルに応じた照射強度及び照射強度の倍率をすべてのＶＣＳＥＬアレイ７６に一律に設定して、本プロファイル選定処理プログラムを終了する。
【００７０】
その後、ユーザ画像が形成された場合、以上のプロファイル選定処理プログラムの処理によって各ＶＣＳＥＬアレイ７６に設定された照射強度及び照射強度の倍率に基づき、ユーザ画像にレーザが照射される。
【００７１】
以上説明した本実施の形態の実施例と、比較例１及び比較例２との比較結果を以下の表１及び表２に示す。なお、表１は、プロファイル選定処理の概要と、照射プロファイル及び照射強度の倍率が上質紙に最適化された状態で、連続紙Ｐの種類が上質紙からコート紙に変更された場合のプロファイル選定処理に費やされる所要時間とを示している。また、表２は、連続紙Ｐの種類毎に、選定された照射プロファイル及び照射強度の倍率でユーザ画像に対してレーザを照射した場合のユーザ画像の光学濃度及びインク汚れの有無を示している。また、比較例１は、上記制御単位の各々に一律の照射プロファイル及び照射強度の倍率を設定してテスト画像にレーザを照射する例である。そして、比較例１は、本実施の形態と同様にレーザが照射されたテスト画像の光学濃度の測定結果及びインク汚れの有無から最適な照射プロファイル及び照射強度の倍率を選定する例である。一方、比較例２は、照射プロファイル及び照射強度の倍率を選定する処理を行わない例である。また、照射プロファイル及び照射強度の倍率の組み合わせの数は１０個の場合について示している。
【００７２】
【表１】
0006432331.tif 000002
【００７３】
【表２】
0006432331.tif 000003
【００７４】
表１に示すように、本実施の形態の実施例では、一度のプロファイル選定処理で複数の照射プロファイル及び照射強度の倍率の組み合わせを用いてレーザの照射結果を評価しているため、プロファイル選定処理の所要時間は３分である。これに対し、比較例１では、一度のプロファイル選定処理で一つの照射プロファイル及び照射強度の倍率の組み合わせを評価している。そして、該組み合わせの数は１０個であるので、プロファイル選定処理の所要時間は３分×１０回で３０分である。また、比較例２では、プロファイル選定処理を行っていないので、プロファイル選定処理の所要時間は０分である。
【００７５】
表２に示すように、本実施の形態の実施例と比較例１とでは所要時間に差はあるが、プロファイル選定処理は同じ処理を行っているため、ユーザ画像の光学濃度及びインク汚れの有無は同じ結果となっている。これに対し、比較例２では、上質紙に最適化された照射プロファイルのままコート紙の場合においてもレーザを照射しているため、コート紙での光学濃度が、本実施の形態の実施例と比較して低くなっており、さらに、コート紙ではインク汚れも検出されている。
【００７６】
このように、本実施の形態の実施例では、比較例１より短時間で照射プロファイルが選定され、比較例２より画質の劣化が抑制される。
【００７７】
以上、実施の形態を説明したが、本発明の技術的範囲は上記実施の形態に記載の範囲には限定されない。発明の要旨を逸脱しない範囲で上記実施の形態に多様な変更または改良を加えることができ、該変更または改良を加えた形態も本発明の技術的範囲に含まれる。
【００７８】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００７９】
例えば、上記実施の形態では、レーザ素子として、垂直共振器型の面発光レーザ素子を適用した場合について説明したが、本発明はこれに限定されるものではない。例えば、レーザ素子として、水平共振器型の面発光レーザ素子（端面発光レーザ素子）等の他の半導体レーザ素子を適用する形態としてもよい。
【００８０】
また、上記テスト画像の大きさ、形状、及び色は、上記実施の形態で説明した大きさ、形状、及び色に限定されるものでない。例えば、異なる照射プロファイルを用いて上記制御単位毎にレーザを照射して、インク汚れの有無及びテスト画像の光学濃度を検出可能な大きさ、形状、及び色であれば、他の大きさ、形状、及び色でもよいことは言うまでもない。
【００８１】
また、上記実施の形態では、上記制御単位として、搬送方向に沿って配列された一列のＶＣＳＥＬアレイ７６群を適用した場合について説明したが、本発明はこれに限定されるものではない。例えば、上記制御単位として、搬送方向に沿って配列された複数列のＶＣＳＥＬアレイ７６群を適用する形態としてもよい。さらに、この形態例において、上記制御単位として、例えば隣り合う複数列のＶＣＳＥＬアレイ７６群を適用する形態としてもよい。
【００８２】
また、上記実施の形態では、レーザ乾燥装置７０として、レーザ乾燥部７２Ａ〜Ｆが各々間隔を空けて搬送方向に沿って設けられたものを適用した場合について説明したが、本発明はこれに限定されるものではない。例えば、レーザ乾燥装置７０として、レーザ乾燥部７２Ａ〜Ｆが各々間隔を空けずに搬送方向に沿って設けられたものを適用する形態としてもよい。また、レーザ乾燥装置７０として、レーザ乾燥部７２Ａ〜Ｆが一体化されて形成されたものを適用する形態としてもよい。
【００８３】
また、上記実施の形態では、照射プロファイルに含まれる照射強度を照射強度の倍率を用いて変更する場合について説明したが、本発明はこれに限定されるものではない。例えば、照射強度の倍率を照射プロファイルに含める形態としてもよい。また、照射プロファイルの数や照射強度の倍率の数は、上記実施の形態で示した数に限定されるものではないことは言うまでもない。
【００８４】
また、上記実施の形態では、画像読取部１２０により読み取られた画像を示す画像情報からインク汚れの有無及びテスト画像の光学濃度を検出する場合について説明したが、本発明はこれに限定されるものではない。例えば、ユーザが目視にてインク汚れの有無及びテスト画像の光学濃度の高低を判断し、最適な照射プロファイル及び照射強度の倍率を選定する形態としてもよい。また、この場合、選定された照射プロファイル及び照射強度の倍率は、ユーザにより操作表示部１４０等を介してインクジェット記録装置１０に設定される形態が例示される。
【００８５】
また、上記実施の形態では、画像読取部１２０により読み取られた画像を示す画像情報に基づいて、インク汚れの有無を検出する場合について説明したが、本発明はこれに限定されるものではない。例えば、連続紙Ｐの汚れ評価領域上の画像の濃度を検出するセンサ等によりインク汚れの有無を検出する形態としてもよい。
【００８６】
また、上記実施の形態では、画像読取部１２０がインクジェット記録装置１０の内部に設けられた場合について説明したが、本発明はこれに限定されるものではない。例えば、画像読取部１２０がインクジェット記録装置１０の外部の他の装置に設けられる形態としてもよい。
【００８７】
また、上記実施の形態では特に言及しなかったが、画像読取部１２０は、印字ヘッド５０のノズルのピン抜け等を検出する装置と兼用する形態としてもよい。
【００８８】
また、上記実施の形態では、記録媒体として、連続紙Ｐを適用した場合について説明したが、本発明はこれに限定されるものではない。例えば、記録媒体として、Ａ４やＡ３等のカット紙を適用する形態としてもよい。また、記録媒体の材質も紙に限られず、レーザが照射されることによりインク滴が乾燥されて定着される他の材質の記録媒体を用いる形態としてもよい。
【００８９】
また、上記各実施の形態では、各種プログラムがＲＯＭ２０Ｂに予めインストールされている場合について説明したが、本発明はこれに限定されるものではない。例えば、各種プログラムが、ＣＤ−ＲＯＭ（Compact Disk Read Only Memory）等の記憶媒体に格納されて提供される形態、又は外部ネットワークを介して提供される形態としてもよい。
【００９０】
さらに、上記実施の形態では、プロファイル選定処理を、プログラムを実行することにより、コンピュータを利用してソフトウェア構成により実現する場合について説明したが、本発明はこれに限定されるものではない。例えば、プロファイル選定処理を、ハードウェア構成や、ハードウェア構成とソフトウェア構成の組み合わせによって実現する形態としてもよい。
【００９１】
その他、上記実施の形態で説明したインクジェット記録装置１０の構成（図１〜図３参照。）は一例であり、本発明の主旨を逸脱しない範囲内において不要な部分を削除したり、新たな部分を追加したりしてもよいことは言うまでもない。
【００９２】
また、上記実施の形態で説明したプログラムの処理の流れ（図５参照。）も一例であり、本発明の主旨を逸脱しない範囲内において不要なステップを削除したり、新たなステップを追加したり、処理順序を入れ替えたりしてもよいことは言うまでもない。
【００９３】
さらに、上記実施の形態で示したテーブルの構成（図７Ａ、図７Ｂ参照。）も一例であり、本発明の主旨を逸脱しない範囲内において、構成を変更してもよいことは言うまでもない。
【符号の説明】
【００９４】
１０    画像形成装置
２０    制御部
５０    印字ヘッド
７０    レーザ乾燥装置
７６    ＶＣＳＥＬアレイ
１２０  画像読取部
Ｐ      連続紙
【図１】
0006432331.tif 000004
【図２】
0006432331.tif 000005
【図３】
0006432331.tif 000006
【図４Ａ】
0006432331.tif 000007
【図４Ｂ】
0006432331.tif 000008
【図５】
0006432331.tif 000009
【図６Ａ】
0006432331.tif 000010
【図６Ｂ】
0006432331.tif 000011
【図６Ｃ】
0006432331.tif 000012
【図６Ｄ】
0006432331.tif 000013
【図６Ｅ】
0006432331.tif 000014
【図７Ａ】
0006432331.tif 000015
【図７Ｂ】
0006432331.tif 000016
【図８】
0006432331.tif 000017